(57)【要約】【課題】暖炉風の感じを得られるようにした構造が簡単で低コストの温風暖房機を提供する。【解決手段】暖房機本体１内に、バーナ２と燃焼筐３と温風ファン４とを備える。暖房機本体１の前面と燃焼筐３の前面とに、燃焼筐３の内部を目視可能とするため、夫々ガラス板７ａ，８ａを装着した窓部７，８が設けられ、燃焼筐３内に擬似薪９が収納される。温風ファン４は燃焼筐３の上方に配置される。暖房機本体１の空気取入れ口５から流入する空気の一部が暖房機本体１の窓部７のガラス板７ａと燃焼筐３の窓部８のガラス板８ａとの間の隙間を経由して温風ファン４に吸込まれると共に、空気取入れ口５から流入する空気の一部が暖房機本体１の後面と燃焼筐３の後面との間の隙間を経由して温風ファン４に吸込まれるようにする。【選択図】図１
2008111603.tif 000002
【特許請求の範囲】
【請求項１】
暖房機本体内に、バーナと、バーナから噴出する混合気を燃焼させる燃焼筐と、温風ファンとを備え、暖房機本体には空気取入れ口と温風吹出し口とが開設され、空気取入れ口から流入する空気と燃焼筐の上端の排気口から排出される燃焼排ガスとが温風ファンに吸込まれて温風吹出し口に送風されるようにした温風暖房機において、
暖房機本体の前面と燃焼筐の前面とに、燃焼筐の内部を目視可能とするため、夫々ガラス板を装着した窓部が設けられて、燃焼筐内に擬似薪が収納され、
温風ファンは燃焼筐の上方に配置され、
空気取入れ口から流入する空気の一部が暖房機本体の前面の窓部に装着したガラス板と燃焼筐の前面の窓部に装着したガラス板との間の隙間を経由して温風ファンに吸込まれるようにしたことを特徴とする温風暖房機。
【請求項２】
前記空気取入れ口から流入する空気の一部が前記暖房機本体の後面と前記燃焼筐の後面との間の隙間を経由して前記温風ファンに吸込まれることを特徴とする請求項１記載の温風暖房機。
【発明の詳細な説明】
【技術分野】
【０００１】
本発明は、暖房機本体内に、バーナと、バーナから噴出する混合気を燃焼させる燃焼筐と、温風ファンとを備え、暖房機本体には空気取入れ口と温風吹出し口とが開設され、空気取入れ口から流入する空気と燃焼筐の上端の排気口から排出される燃焼排ガスとが温風ファンに吸込まれて温風吹出し口に送風されるようにした温風暖房機に関する。
【背景技術】
【０００２】
従来、この種の温風暖房機として、温風ファンを燃焼筐の下方に配置すると共に、暖房機本体内に、燃焼筐を前方から上方に亘って囲う隔壁を設けて、隔壁と燃焼筐との間に、空気取入れ口から流入した空気と燃焼筐の上端の排気口から排出される燃焼排ガスとを混合して温風ファンの吸込み側に導く通気路を画成したものは知られている（例えば、特許文献１参照）。また、このものでは、空気取入れ口から流入した空気の一部が暖房機本体の前面と隔壁との間の隙間を経由して温風ファンに吸込まれるようにしている。これにより、暖房機本体の前面を空冷できる。
【０００３】
ところで、暖房機本体の前面側から燃焼筐の内部を目視可能として、燃焼筐内に擬似薪を収納することにより暖炉風の感じを得られるようにすることが望まれる場合がある。上記従来例の温風暖房機を暖炉風のものにするには、暖房機本体の前面と隔壁と燃焼筐の前面とに、夫々燃焼筐の内部を目視可能にするための窓部を設けて、これら各窓部にガラス板を装着する必要がある。そのため、ガラス板が３重に配置されることになり、構造が複雑になってコストが高くなる。
【０００４】
尚、隔壁を省略し、燃焼筐の上端の排気口から排出される燃焼排ガスと空気取入れ口から流入する空気とが暖房機本体の前面の窓部に装着した窓ガラスと燃焼筐の前面の窓部に装着したガラス板との間の隙間を経由して燃焼筐の下方の温風ファンに吸込まれるようにすることも考えられる。然し、これでは、暖房機本体の前面の窓部に装着するガラス板が高温になり、このガラス板に手を触れたときに熱い思いをさせる虞がある。
【特許文献１】特開平９−６８３４９号公報
【発明の開示】
【発明が解決しようとする課題】
【０００５】
本発明は、以上の点に鑑み、暖炉風の感じを得られるようにした構造が簡単で低コストの温風暖房機を提供することをその課題としている。
【課題を解決するための手段】
【０００６】
上記課題を解決するために、本発明は、暖房機本体内に、バーナと、バーナから噴出する混合気を燃焼させる燃焼筐と、温風ファンとを備え、暖房機本体には空気取入れ口と温風吹出し口とが開設され、空気取入れ口から流入する空気と燃焼筐の上端の排気口から排出される燃焼排ガスとが温風ファンに吸込まれて温風吹出し口に送風されるようにした温風暖房機において、暖房機本体の前面と燃焼筐の前面とに、燃焼筐の内部を目視可能とするため、夫々ガラス板を装着した窓部が設けられて、燃焼筐内に擬似薪が収納され、温風ファンは燃焼筐の上方に配置され、空気取入れ口から流入する空気の一部が暖房機本体の前面の窓部に装着したガラス板と燃焼筐の前面の窓部に装着したガラス板との間の隙間を経由して温風ファンに吸込まれるようにしたことを特徴とする。
【０００７】
本発明によれば、温風ファンが燃焼筐の上方に配置されるため、暖房機本体の前面と燃焼筐の前面との間に、燃焼筐の上端の排気口から排出される燃焼排ガスを温風ファンに導くための上記従来例の隔壁のような部材を配置せずに済む。従って、ガラス板は暖房機本体の前面の窓部と燃焼筐の前面の窓部とに装着するだけで良く、ガラス板を３重に配置するものに比し構造が簡単になってコストが安くなる。更に、暖房機本体の前面の窓部に装着したガラス板と燃焼筐の前面の窓部に装着したガラス板との間の隙間に空気が流れるため、暖房機本体の前面の窓部に装着したガラス板が空冷され、このガラス板に手を触れても熱い思いをさせない。
【０００８】
尚、温風ファンを燃焼筐の下方に配置する場合は、燃焼筐の配置位置が高くなって、暖房機の全高内の比較的高い位置に擬似薪が配置されることになる。本物の暖炉では薪を底部に置くため、違和感のあるデザインになってしまう。これに対し、本発明では、温風ファンを燃焼筐の上方に配置することで、燃焼筐の配置位置を低くして、暖房機の全高内の比較的低い位置に擬似薪を配置することができ、暖炉らしい感じを出すことができる。
【０００９】
また、本発明においては、空気取入れ口から流入する空気の一部が暖房機本体の後面と燃焼筐の後面との間の隙間を経由して温風ファンに吸込まれるようにすることが望ましい。これによれば、暖房機本体の後面の過熱も防止できる。
【発明を実施するための最良の形態】
【００１０】
図１を参照して、１は温風暖房機の暖房機本体を示している。暖房機本体１内には、下部のバーナ２と、バーナ２の上方に位置する燃焼筐３と、燃焼筐３の上方に位置する温風ファン４とが配置されている。
【００１１】
暖房機本体１には、その後面に上下複数の空気取入れ口５が開設され、また、その前面上部に温風吹出し口６が開設されている。温風吹出し口６には温風の吹出し方向を下向きにするルーバー６ａが装着され、また、暖房機本体１の後面の外側には図示省略したフィルタが装着される。
【００１２】
暖房機本体１の前面と燃焼筐３の前面とには、燃焼筐３の内部を目視可能とするために、夫々ガラス板７ａ，８ａを装着した窓部７，８が設けられている。そして、燃焼筐３内に擬似薪９を収納し、暖炉風の感じが得られるようにしている。尚、本実施形態では、図２に示す如く、横方向に長手の保持枠１０を設けて、保持枠１０の前後に保持爪１０ａを介して前後一対の擬似薪９，９を取付けている。そして、保持枠１０を燃焼筐３の底面上に固定することで、擬似薪９，９を燃焼筐３内に収納している。
【００１３】
バーナ２は、多数の炎孔を有する燃焼プレート２ａを備えるプレート式バーナで構成されている。バーナ２に供給される混合気（燃料ガスと一次空気との混合ガス）は理論空燃比より燃料濃度が濃くなっている。また、燃焼プレート２ａの直上部の空間を囲う二次空気制限筒２ｂを設けて、燃焼プレート２ａの近傍で混合気が燃焼することを抑制している。そして、混合気が二次空気制限筒２ｂを介して燃焼筐３内の前後の擬似薪９，９間の空間に導入され、燃焼筐３の底面に設けられた給気部３ａからの二次空気の供給で混合気が燃焼筐３内でブンゼン燃焼するようにしている。これにより、前後の擬似薪９，９間から上方に立ち伸びる火炎が生成され、擬似薪９が燃えているような視覚的印象が与えられる。
【００１４】
温風ファン４は、図外のモータで回転駆動されるファン本体４ａと、ファン本体４ａを収納するファンケーシング４ｂとで構成されている。ファンケーシング４ｂの吹出し口４ｃは温風吹出し口６に接続され、ファンケーシング４ｂの吸込み口４ｄは燃焼筐３の上方位置で下向きに開口している。そして、燃焼筐３の上端の排気口３ｂをファンケーシング４ｂの吸込み口４ｄに臨ませている。
【００１５】
また、ファンケーシング４ｂの吸込み口４ｄは、排気口３ｂに対向するだけでなくその前方及び後方に亘って広がっている。そして、暖房機本体１の前面の窓部７に装着したガラス板７ａと燃焼筐３の前面の窓部８に装着したガラス板８ａとの間の隙間を窓部７の上端から吸込み口４ｄの前端に達する導風板１１を介して吸込み口４ｄの前部に連通させている。更に、暖房機本体１の後面と燃焼筐３の後面との間の隙間を吸込み口４ｄの後部に連通させている。
【００１６】
温風ファン４のファン本体４ａを回転させると、空気取入れ口５から流入する空気の一部が暖房機本体１の後面と燃焼筐３の後面との間の隙間を経由して温風ファン４に吸込まれる。また、空気取入れ口５から流入する空気の一部は燃焼筐３の下方空間に回り込む。そして、燃焼筐３の下方空間に回り込んだ空気の一部は燃焼筐３の底面の給気部３ａから燃焼筐２内に吸込まれ、この空気を二次空気として燃焼筐２内での混合気の燃焼が行われて、燃焼排ガスが燃焼筐３の上端の排気口３ｂから温風ファン４に吸込まれる。また、燃焼筐３の下方空間に回り込んだ空気の一部は暖房機本体１の前面の窓部７に装着したガラス板７ａと燃焼筐３の前面の窓部８に装着したガラス板８ａとの間の隙間を経由して温風ファン４に吸込まれる。そして、燃焼排ガスと空気とが混合されて温風吹出し口６に送風される。図１には、空気の流れが白抜きの矢印で示され、燃焼排ガスの流れが黒塗りの矢印で示され、空気と燃焼排ガスとの混合後の温風の流れが白と黒に塗り分けた矢印で示されている。
【００１７】
ところで、燃焼筐３の下方に温風ファンを配置し、燃焼筐３の上端の排気口３ｂから排出される燃焼排ガスを暖房機本体１の前面の窓部７のガラス板７ａと燃焼筐３の前面の窓部８のガラス板８ａとの間の隙間を介して温風ファンに導くことが考えられる。然し、これでは暖房機本体１の前面の窓部７のガラス板７ａが高温になってしまう。ガラス板７ａの過熱を防止するには、暖房機本体１の前面と燃焼筐３の前面との間に隔壁を設けて、燃焼排ガスを隔壁と燃焼筐との間の隙間を介して下方の温風ファンに導くことが必要になる。この場合、燃焼筐３の内部を目視可能にするには、隔壁にも窓部を設けて、これにガラス板を装着することが必要になる。然し、これではガラス板が３重に配置されることになり、構造が複雑になってコストが高くなる。
【００１８】
これに対し、本実施形態では、温風ファン４が燃焼筐３の上方に配置されるため、燃焼排ガスは燃焼筐３の上端の排気口３ｂからストレートに温風ファン４に吸込まれ、上記隔壁は不要になる。従って、暖房機本体１の前面の窓部７と燃焼筐３の前面の窓部８とにガラス板７ａ，８ａを装着するだけで良く、ガラス板を３重に配置するものに比し構造が簡単になってコストが安くなる。更に、暖房機本体１の前面の窓部７に装着したガラス板７ａと燃焼筐３の前面の窓部８に装着したガラス板８ａとの間の隙間に空気が流れるため、ガラス板７ａを空冷できる。また、本実施形態では、暖房機本体１の後面と燃焼筐３の後面との間の隙間にも空気が流れるため、暖房機本体１の後面の過熱も防止できる。
【００１９】
更に、温風ファン４を燃焼筐３の上方に配置することで、燃焼筐３の配置位置を低くして、暖房機の全高内の比較的低い位置に擬似薪９を配置することができる。これにより、底部に薪を置く本物の暖炉に近い感じを出すことができる。
【００２０】
以上、本発明の実施形態について図面を参照して説明したが、本発明はこれに限定されない。例えば、上記実施形態では、燃焼筐３の下方にバーナ２を配置したが、燃焼筐３を下方に延長して、燃焼筐３内にバーナ２を収納することも可能である。また、上記実施形態では、バーナ２を燃焼プレート２ａを備えるプレート式バーナで構成しているが、バーナ２として燃焼プレートを具備しない通常のブンゼン式バーナを用いることも可能である。
【図面の簡単な説明】
【００２１】
【図１】本発明の実施形態の温風暖房機の切断側面図。
【図２】実施形態の温風暖房機で用いる擬似薪の斜視図。
【符号の説明】
【００２２】
１…暖房機本体、２…バーナ、３…燃焼筐、３ｂ…排気口、４…温風ファン、５…空気取入れ口、６…温風吹出し口、７…暖房機本体の前面の窓部、７ａ…ガラス板、８…燃焼筐の前面の窓部、８ａ…ガラス板、９…擬似薪。
【図１】
2008111603.tif 000003
【図２】
2008111603.tif 000004